(57)【要約】【課題】ケーブルトレイ支持材とケーブルトレイとを溶接以外で堅牢に固定できる、ケーブルトレイ固定構造を提供すること。【解決手段】金具本体は、高さ方向に延びており、上部折り返し片は、金具本体の上端部から軸直方向を内向きに延びており、上部サイド折り曲げ片は、上部折り返し片から高さ方向を下方に延びており、下部メイン折り曲げ片は、金具本体の下端部から軸直方向を外向きに延びており、下部サイド折り曲げ片は、金具本体から軸直方向を内向きに延びている。金具本体の高さ方向寸法は、親桁の高さ方向寸法より小さく、親桁の上片には、切欠きが設けられている。上部折り返し片が親桁の上片を覆い、上部サイド折り曲げ片が切欠きに収容された状態で、下部メイン折り曲げ片がケーブルトレイ支持材に締結具によって固定されている。【選択図】図２
2017184510.tif 000002
【特許請求の範囲】
【請求項１】
ケーブルトレイ支持材に、ケーブルトレイ固定金具を介して、軸方向に延びるケーブルトレイを固定するケーブルトレイ固定構造であって、
前記ケーブルトレイは、高さ方向に延びる親桁を備え、
前記親桁は、親桁本体の上端から軸直方向を外向きに延びる上片を備え、
前記ケーブルトレイ固定金具は、金具本体、上部折り返し片、上部サイド折り曲げ片、下部メイン折り曲げ片および下部サイド折り曲げ片を備え、
前記金具本体は、高さ方向に延びており、
前記上部折り返し片は、前記金具本体の上端部から軸直方向を内向きに延びており、
前記上部サイド折り曲げ片は、前記上部折り返し片から高さ方向を下方に延びており、
前記下部メイン折り曲げ片は、前記金具本体の下端部から軸直方向を外向きに延びており、
前記下部サイド折り曲げ片は、前記金具本体から軸直方向を内向きに延びており、
前記金具本体の高さ方向寸法は、前記親桁の高さ方向寸法より小さく、
前記親桁の前記上片には、切欠きが設けられており、
前記上部折り返し片が前記親桁の前記上片を覆い、前記上部サイド折り曲げ片が前記切欠きに収容された状態で、前記下部メイン折り曲げ片が前記ケーブルトレイ支持材に締結具によって固定されている、
ケーブルトレイ固定構造。
【請求項２】
前記上部折り返し片は、軸直方向に延びる第１部と、高さ方向に延びる第２部とを備えており、
前記第２部は、前記第１部の軸直方向の内向きの端部から高さ方向を下方に延びている、
請求項１のケーブルトレイ固定構造。
【発明の詳細な説明】
【技術分野】
【０００１】
本発明は、ケーブルトレイ固定構造に関するものである。
【背景技術】
【０００２】
ケーブルトレイの固定工法においては、ケーブルトレイをサポートする支持材の上面部と支持材上に布設されたケーブルトレイの側面部とを溶接固定している態様がある。
【０００３】
特許文献１には、ケーブルラック取付け座部からケーブルラックの親桁の外側に接して立ち上がる振れ止め部と、振れ止め部の上部から親桁の上側に位置するように突出する上部突片とを備えているケーブルラック用振れ止め金具による固定方法が開示されている。
【０００４】
また、特許文献２には、「建築設備耐震指針・施工指針」に基づいた耐震措置としてＡ種、Ｂ種の２種類による耐震措置方法が挙げられている。
【先行技術文献】
【特許文献】
【０００５】
【特許文献１】実開昭６２−９１５１３号公報
【特許文献２】特許第２９６１３６５号公報
【発明の概要】
【発明が解決しようとする課題】
【０００６】
従来のケーブルトレイ固定工法は、溶接にて接合されているので、溶接前にケーブルトレイ支持材とケーブルトレイ側面部との溶接箇所に対するメッキ層の剥離処理、あるいは、溶接時に生じるスパッタなどの火の粉から周辺物を保護するための養生処理が必要であり、さらに、溶接箇所の品質を維持するための技量を保有した溶接作業者の確保が必要となる。
【０００７】
また、特許文献１に開示の態様では、振れ止め機能はあるものの、地震加速度による軸方向や軸直方向へのズレを抑え込む堅牢な固定を提供するものではない。さらに、特許文献２に開示の態様は、地震時に大きな被害をもたらさないための耐震措置方法であり、地震加速度による軸方向と軸直方向へのズレを防止する堅牢な固定を提供するものではない。
【０００８】
本発明は、上記に鑑みてなされたものであり、ケーブルトレイ支持材とケーブルトレイとを溶接以外で堅牢に固定できる、ケーブルトレイ固定構造を提供することを目的とする。
【課題を解決するための手段】
【０００９】
上述した目的を達成するため、本発明は、ケーブルトレイ支持材に、ケーブルトレイ固定金具を介して、軸方向に延びるケーブルトレイを固定するケーブルトレイ固定構造であって、前記ケーブルトレイは、高さ方向に延びる親桁を備え、前記親桁は、親桁本体の上端から軸直方向を外向きに延びる上片を備え、前記ケーブルトレイ固定金具は、金具本体、上部折り返し片、上部サイド折り曲げ片、下部メイン折り曲げ片および下部サイド折り曲げ片を備え、前記金具本体は、高さ方向に延びており、前記上部折り返し片は、前記金具本体の上端部から軸直方向を内向きに延びており、前記上部サイド折り曲げ片は、前記上部折り返し片から高さ方向を下方に延びており、前記下部メイン折り曲げ片は、前記金具本体の下端部から軸直方向を外向きに延びており、前記下部サイド折り曲げ片は、前記金具本体から軸直方向を内向きに延びており、前記金具本体の高さ方向寸法は、前記親桁の高さ方向寸法より小さく、前記親桁の前記上片には、切欠きが設けられており、前記上部折り返し片が前記親桁の前記上片を覆い、前記上部サイド折り曲げ片が前記切欠きに収容された状態で、前記下部メイン折り曲げ片が前記ケーブルトレイ支持材に締結具によって固定されている。
【発明の効果】
【００１０】
本発明によれば、ケーブルトレイ支持材とケーブルトレイとを溶接以外で堅牢に固定できる。
【図面の簡単な説明】
【００１１】
【図１】本発明の実施の形態１のケーブルトレイ固定金具によって、支持材に、ケーブルトレイが固定されている状態を示す図である。
【図２】図１のＩＩ部の拡大図である。
【図３】図１を矢印ＩＩＩから見た状態を示す図である。
【図４】図３のＩＶ部の拡大図である。
【図５】図３において、ケーブルトレイ固定金具とケーブルトレイ支持材とを結合するボルトおよびナットを含めて示す図である。
【図６】図５のＶＩ部の拡大図である。
【発明を実施するための形態】
【００１２】
以下、本発明に係るケーブルトレイ固定構造の実施の形態について添付図面に基づいて説明する。なお、図中、同一符号は同一又は対応部分を示すものとする。また、本明細書および請求の範囲では、図１に示した、直交３方向である、軸方向、軸直方向および高さ方向を用いて記載することもある。
【００１３】
実施の形態１．
本実施の形態１は、発電所等の建築物におけるケーブルトレイ支持材に、ケーブルトレイ固定金具を介して、ケーブルトレイを固定する、ケーブルトレイ固定構造に関するものである。図１は、本発明の実施の形態１のケーブルトレイ固定金具によって、支持材に、ケーブルトレイが固定されている状態を示す図である。図２は、図１のＩＩ部の拡大図である。図３は、図１を矢印ＩＩＩから見た状態を示す図である。図４は、図３のＩＶ部の拡大図である。図５は、図３において、ケーブルトレイ固定金具とケーブルトレイ支持材とを結合するボルトおよびナットを含めて示す図である。図６は、図５のＶＩ部の拡大図である。
【００１４】
図１において、ケーブルトレイ１は、梯子状の部材であり、ケーブルトレイ支持材２上に布設されている。ケーブルトレイ１は、一対の親桁１ａ、１ａと、複数の子桁１ｂとを備えている。ケーブルトレイ支持材２は、軸直方向に延びる上面を有しており、その上面にケーブルトレイ１が載せられる。
【００１５】
一対の親桁１ａ、１ａはそれぞれ、軸方向に延び、表裏面を軸直方向に向けた板状の部材である。これら一対の親桁１ａ、１ａは、軸直方向に一定間隔で離隔し、ほぼ平行に配置されている。一対の親桁１ａ、１ａはそれぞれ、親桁本体２１ａと、上片２１ｂと、下片２１ｃとを備えている。親桁本体２１ａと、上片２１ｂと、下片２１ｃとは、軸方向に沿ってみて、略Ｚ形をなしている。より詳細には、親桁本体２１ａと上片２１ｂとは直角をなし、親桁本体２１ａと下片２１ｃも直角をなしている。親桁本体２１ａは、高さ方向に延び、上片２１ｂは、親桁本体２１ａの上端部から軸直方向に且つ対となる親桁１ａから離れる向き（外向き）に延びている。下片２１ｃは、親桁本体２１ａの下端部から軸直方向に且つ対となる親桁１ａに近づく向き（内向き）に延びている。
【００１６】
複数の子桁１ｂはそれぞれ、一対の親桁１ａ、１ａを接続している。すなわち、複数の子桁１ｂはそれぞれ、軸直方向に延び、軸直方向に離隔した一対の親桁１ａ、１ａを架橋している。また、複数の子桁１ｂは、軸方向に間隔をあけて配置されている。
【００１７】
ケーブルトレイ１は、親桁１ａ、１ａに嵌合するケーブルトレイ固定金具３によってケーブルトレイ支持材２に固定される。
【００１８】
ケーブルトレイ固定金具３は、金具本体４と、上部折り返し片５と、一対の上部サイド折り曲げ片６と、下部メイン折り曲げ片８と、一対の下部サイド折り曲げ片９とを備えている。
【００１９】
金具本体４と、上部折り返し片５と、下部メイン折り曲げ片８とは、軸方向に沿ってみて、略Ｚ形をなしている。より詳細に説明すると、まず、上部折り返し片５は、軸直方向に延びる第１部５ａと、高さ方向に延びる第２部５ｂとを備えている。金具本体４は、高さ方向に延びており、金具本体４の上端部４ａの上から、上部折り返し片５の第１部５ａが対応する親桁１ａに近づく向き（内向き）に延びている。上部折り返し片５の第２部５ｂは、第１部５ａの軸直方向の内向きの端部から高さ方向下方に延びている。特に図４に示されるように、金具本体４の上部および上部折り返し片５は、親桁１ａの親桁本体２１ａの上部および上片２１ｂを、上方から、覆うことができるように構成されている。無負荷状態において、軸方向に沿ってみて、上部折り返し片５の第２部５ｂは、第１部５ａに対して直角に延び、第１部５ａは、金具本体４に対して直角に延びている。高さ方向寸法に関し、金具本体４は、対応する親桁１ａよりも短く、例えば、１ｍｍ〜２ｍｍ程度短い。
【００２０】
下部メイン折り曲げ片８は、軸方向に沿ってみて、軸直方向に延びており、金具本体４から直角に延びている。また、下部メイン折り曲げ片８は、金具本体４の下端部４ｂの下から、対応する親桁１ａから離れる向き（外向き）に延びている。また、下部メイン折り曲げ片８は、軸方向に沿ってみて、ケーブルトレイ支持材２の上面に沿って延びている。なお、下部メイン折り曲げ片８には、後述するボルト１１が挿通されるための貫通穴１０が設けられている。
【００２１】
一対の上部サイド折り曲げ片６は、上部折り返し片５の第１部５ａの両側（高さ方向からみた軸方向の両側）に設けられている。すなわち、平面視（高さ方向に沿ってみて）、一対の上部サイド折り曲げ片６の間に、上部折り返し片５の第１部５ａが挟まれる。一対の上部サイド折り曲げ片６はそれぞれ、上部折り返し片５の第１部５ａから、高さ方向下方に延びている。また、一対の上部サイド折り曲げ片６はそれぞれ、軸直方向に沿ってみて、上部折り返し片５の第１部５ａに対して直角に延びている。
【００２２】
親桁１ａ、１ａの上片２１ｂには、上部サイド折り曲げ片６に対応して、切欠き７が設けられている。上述したように、金具本体４の上部および上部折り返し片５が、親桁１ａの親桁本体２１ａの上部および上片２１ｂを覆っている状態において、上部サイド折り曲げ片６はそれぞれ、対応する切欠き７内に収容されており、軸方向に沿ってみると、上部サイド折り曲げ片６はそれぞれ、親桁１ａ、１ａの上片２１ｂを貫通しているようにみえる。切欠き７はそれぞれ、親桁１ａ、１ａの上片２１ｂにおける、対応する金具本体４側の端辺に開口している。よって、上部サイド折り曲げ片６が切欠き７内に収容された状態で、相対的に、ケーブルトレイ固定金具３が親桁１ａ、１ａに対して軸方向に移動すると、上部サイド折り曲げ片６が、上片２１ｂの切欠き７の画定部と当接することとなる。
【００２３】
一対の下部サイド折り曲げ片９は、金具本体４の両側（軸直方向からみた軸方向の両側）に設けられている。すなわち、軸直方向に沿ってみて、一対の下部サイド折り曲げ片９の間に、金具本体４が挟まれる。一対の下部サイド折り曲げ片９はそれぞれ、金具本体４から、対応する親桁１ａに近づく向き（内向き）に延びている。換言すると、一対の下部サイド折り曲げ片９と、下部メイン折り曲げ片８とは、金具本体４を挟んで、軸直方向に反対向きに延びている。また、軸方向に沿ってみて、一対の下部サイド折り曲げ片９の下辺は、下部サイド折り曲げ片９の上面と、高さ方向の位置が揃っている。
【００２４】
次に、上述したケーブルトレイ固定金具３によるケーブルトレイ１のケーブルトレイ支持材２への固定について説明する。まず、図１に示す如くケーブルトレイ１の親桁１ａ、１ａの上片２１ｂに、ケーブルトレイ固定金具３の上部折り返し片５を嵌合する。そのとき、上部サイド折り曲げ片６はそれぞれ、対応する切欠き７内に収容される。次に、下部メイン折り曲げ片８が、ケーブルトレイ支持材２の上面に、締結具としてのボルト１１およびナット１２によって固定される。すなわち、下部メイン折り曲げ片８の貫通穴１０、および、それに対応するケーブルトレイ支持材２の貫通穴に、ボルト１１を挿入し、ナット１２を締め付ける。なお、締結具は、ボルトと称されている部材に限定されるものではなく、ねじ溝を利用して、ケーブルトレイ固定金具３に対してケーブルトレイ支持材２への結合力を付与できるものであればよい。
【００２５】
このとき、金具本体４の上部折り返し片５が、ボルトの締込み反力によって、図４の状態から図６に示す如く下方に撓もうとするが、親桁１ａ、１ａの高さより１ｍｍ〜２ｍｍの範囲で下方への撓み量が規制される。このため、ボルト１１とナット１２による締込み力が金具本体４に効率良く伝達されて金具本体４が強く引き下げられ、親桁１ａ、１ａがケーブルトレイ支持材２上に強固に狭圧固定される。
【００２６】
このように本実施の形態１のケーブルトレイ固定構造によれば、ケーブルトレイ支持材とケーブルトレイとを溶接以外で堅牢に固定できる。また、ケーブルトレイ固定金具においては、ケーブルトレイの上片の切欠きに、ケーブルトレイ固定金具の上端部に設けた上部サイド折り曲げ片を嵌合させる構成により、ケーブルトレイの軸方向へのズレをさらに抑制することができ、且つ、ケーブルトレイとケーブルトレイ固定金具の金具本体との空間を埋める方向に、下部サイド折り曲げ片を設けた構成により、ケーブルトレイの軸直方向へのズレをさらに抑制することができる。
【００２７】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００２８】
１  ケーブルトレイ、１ａ  親桁、２  ケーブルトレイ支持材、３  ケーブルトレイ固定金具、４  金具本体、４ａ  上端部、４ｂ  下端部、５  上部折り返し片、６  上部サイド折り曲げ片、７  切欠き、８  下部メイン折り曲げ片、９  下部サイド折り曲げ片、１１  ボルト、２１ａ  親桁本体、２１ｂ  上片、２１ｃ  下片。
【図１】
2017184510.tif 000003
【図２】
2017184510.tif 000004
【図３】
2017184510.tif 000005
【図４】
2017184510.tif 000006
【図５】
2017184510.tif 000007
【図６】
2017184510.tif 000008